(57)【要約】【課題】医療現場で使用されるリストバンドに取付可能とするものであって、保管や使用の手間を軽減して作業性を改善できるリストバンド用のＲＦＩＤタグを提案する。【解決手段】ＲＦＩＤインレットを保持するタグ担持体３の、少なくとも一側端の連係部２１ａに固結機構を備え、リストバンド４１の調整孔４４のいずれかに貫入した該固結機構の係止突部によって、該タグ担持体３をリストバンド４１に取り付けるようにしたＲＦＩＤタグ１であるから、リストバンド４１にＲＦＩＤタグ１を取り付ける場合と取り付けない場合とを患者に応じて選択することができると共に、取り付け作業を容易に行うことができる。また、リストバンド４１と別部材であることから、購入と保管とを夫々行うことができ、これらの作業性を向上できる。【選択図】図６
2015230502.tif 000002
【特許請求の範囲】
【請求項１】
一端部から長手方向に所定間隔を置いて複数形成された調整孔のいずれかと他端部に形成された係合孔とを所定のバンド留め具で係合することにより環状に形成されるリストバンドに、取り付け可能とするものであって、
ＩＣチップとアンテナとを備え、該ＩＣチップに記憶されたデータを所定の入出力装置を介して非接触で送受信するＲＦＩＤインレットと、
該ＲＦＩＤインレットを保持するものであって、両端に前記リストバンドと連係される連係部を備え、少なくとも一側の連係部に前記調整孔のいずれかと固結される固結機構が設けられた易変形性のタグ担持体とを備え、
前記固結機構から突出して調整孔に貫入される係止突部によって、前記タグ担持体をリストバンドに取り付けるようにしたことを特徴とするリストバンド用のＲＦＩＤタグ。
【請求項２】
タグ担持体は、一側の連係部に固結機構が設けられ、他側の連係部に、リストバンドを挿通可能な挿通孔が設けられたものであることを特徴とする請求項１に記載のリストバンド用のＲＦＩＤタグ。
【請求項３】
タグ担持体は、ＲＦＩＤインレットを該タグ担持体の下縁から５ｍｍ以上離間して保持するものであることを特徴とする請求項１又は請求項２に記載のリストバンド用のＲＦＩＤタグ。
【請求項４】
タグ担持体は、その下面部に複数の凹凸が形成された凹凸下部を備えたものであることを特徴とする請求項３に記載のリストバンド用のＲＦＩＤタグ。
【請求項５】
タグ担持体は、ＲＦＩＤインレット下に、高透磁率シートが配設されていることを特徴とする請求項１又は請求項２に記載のリストバンド用のＲＦＩＤタグ。
【請求項６】
請求項１乃至請求項５のいずれか１項に記載のリストバンド用のＲＦＩＤタグを用いた患者情報管理方法であって、
リストバンドに記録された患者識別情報を、所定のデータ移送装置を介して読み込み、該読み込んだ患者識別情報を、該データ移送装置を介して、前記ＲＦＩＤタグのＲＦＩＤインレットのＩＣチップに記憶するようにしたことを特徴とする患者情報管理方法。
【発明の詳細な説明】
【技術分野】
【０００１】
本発明は、病院などで患者の腕に装着されるリストバンドに取り付け可能なＲＦＩＤタグ、および該ＲＦＩＤタグを用いた患者情報管理方法に関するものである。
【背景技術】
【０００２】
医療の現場では、患者個人を正確かつ容易に特定できるように、患者個人の識別情報を印刷したリストバンドが用いられている。ここで、患者の識別情報は、バーコード化されてリストバンドの表面に印刷されるようにしていることが一般的である。そして、リストバンドは、患者の腕に巻き付けることを要し、さらに前記バーコードをプリンタで印刷できることが求められるから、易変形性を有し且つ薄厚の帯形状であるものが適用されている。こうしたリストバンドによれば、その表面に印刷されたバーコードを専用の読取装置で読み取ることによって患者個人を正確に特定できる。例えば、投薬する場合に、投薬のラベルから読み取った薬情報と、リストバンドから読み取った患者の識別情報と、看護師のＩＤ情報とを三点照合し、正しく投薬されるようにしている。
【０００３】
さらに、上記のリストバンドは、バーコードを読み込むために専用の読取装置をバーコードに近接させねばならないが、ケガや病気等により腕を動かし難い患者の場合等では読取装置をバーコードに近接させ難く、それに要する労力と時間とが増大したり、患者の負担も大きくなってしまう。この他にも、夜間消灯している場合には、懐中電灯等でバーコードの読み取り位置を探す必要があるために読取作業の作業効率が低下したり、また、患者が就寝中であれば、患者を起こしてしまったりする。さらに、就寝中の患者を起こしてはいけない場合もあり、この場合にはバーコードの読み取りが極めて難しくなる。これら問題に対して、例えば特許文献１には、ＲＦＩＤインレットがリストバンドに内部形成されている構成のものが提案されている。この構成では、ＲＦＩＤインレットに記憶された識別情報を専用装置により非接触で読み取ることができるため、腕を動かすことなく識別情報を確認することが可能で、前記した患者の負担、労力や時間の増大を抑制できる。これにより、例えば、前記のように就寝中の患者に対して、布団越しに識別情報を読み取ることができ、就寝の邪魔になり難い。
【先行技術文献】
【特許文献】
【０００４】
【特許文献１】特開２０１４−２１６４４号公報
【発明の概要】
【発明が解決しようとする課題】
【０００５】
ところで、上述した従来構成のリストバンドにあっては、ＲＦＩＤインレットがリストバンドに一体形成されていることから、容易に腕を動かすことができる患者であっても当該リストバンドを使用する場合がある。しかし、ＲＦＩＤインレットが内部形成された構成を全ての患者に用いることは、コスト増大となることから、腕を容易に動かせる患者には、ＲＦＩＤインレットを備えない構成のリストバンドが使用されることも行われている。このように患者に応じて、ＲＦＩＤインレットを内部形成した構成と、該ＲＦＩＤインレットを備えない構成とを使い分ける場合には、両者を区別して使用しなければならないため、その保管や使用に手間がかかり、現場での作業性が低減してしまうという問題を生じていた。
【０００６】
また、上記したリストバンドのＲＦＩＤインレットには、ＨＦ帯域の電磁波を使用することが一般的である。これは、近接する人体からの影響を受け難く、患者の腕に装着した状態で比較的安定した通信を行い得るためである。ここで、リストバンドに設けられるＲＦＩＤインレットの場合には、アンテナサイズ等が制限されることから、ＨＦ帯域の電磁波を通信可能な範囲が数十ｃｍ程度となる。そのため、上述した従来構成の場合は、患者の近くで送受信することが必要である。こうしたＨＦ帯域の電磁波を使用する従来構成に対して、通信距離が長いＵＨＦ帯域の電磁波（通信距離が数ｍ）を使用することが求められている。これは、ＵＨＦ帯域の電磁波を使用することにより、病院内で患者の所在を明らかにできる所謂ロケーション管理が可能となるためである。このロケーション管理として、例えば、病院内の複数場所にＵＨＦ帯域の電磁波で送受信する装置を設置し、該装置と患者に装着したリストバンドのＲＦＩＤインレットとで通信することによって、該患者の位置を特定できるシステムが提案される。ところが、ＵＨＦ帯域の電磁波は人体の影響を強く受けることから、上記のように薄厚のリストバンドに一体的に設けたＲＦＩＤインレットでは、ほとんど通信できず、前記のロケーション管理に適用できない。こうしたことから、ロケーション管理に適用可能な構成が希求されていた。
【０００７】
本発明は、医療現場で使用されるリストバンドに取付可能とするものであって、保管や使用の手間を軽減して作業性を改善できるリストバンド用のＲＦＩＤタグ、および該ＲＦＩＤタグを用いた患者情報管理方法を提案するものである。
【課題を解決するための手段】
【０００８】
本発明のリストバンド用のＲＦＩＤタグは、一端部から長手方向に所定間隔を置いて複数形成された調整孔のいずれかと他端部に形成された係合孔とを所定のバンド留め具で係合することにより環状に形成されるリストバンドに、取り付け可能とするものであって、ＩＣチップとアンテナとを備え、該ＩＣチップに記憶されたデータを所定の入出力装置を介して非接触で送受信するＲＦＩＤインレットと、該ＲＦＩＤインレットを保持するものであって、両端に前記リストバンドと連係される連係部を備え、少なくとも一側の連係部に前記調整孔のいずれかと固結される固結機構が設けられた易変形性のタグ担持体とを備え、前記固結機構から突出して調整孔に貫入される係止突部によって、前記タグ担持体をリストバンドに取り付けるようにしたことを特徴とするものである。
【０００９】
ここで、タグ担持体は、その内部にＲＦＩＤインレットを保持するようにした構成が好適であり、該内部保持する構成によって、該ＲＦＩＤインレットを保護して比較的長期に亘って安定して使用可能とできる。また、固結機構としては、タグ担持体の連係部に一体的に設けられたものであっても良いし、又は、該連係部と別部材とし、該連係部に取り付けられるものとすることもできる。そして、固結機構は、一側の連係部のみに設けられても良いし、両側の連係部に設けられても良い。また、ＲＦＩＤインレットは、ＨＦ帯域の電磁波で通信する構成、ＵＨＦ帯域の電磁波で通信する構成のいずれとすることもできる。
【００１０】
かかる構成によれば、ＲＦＩＤインレットを保持するタグ担持体を、固結機構によりリストバンドに取り付けることによって、比較的容易にＲＦＩＤインレットを備えたリストバンドを提供できる。これにより、バーコード等により患者識別情報が記録されたリストバンドを、そのままる利用することと、該リストバンドにＲＦＩＤインレットを取り付けて利用することとのいずれかを、医療現場で選択することができる。例えば、病気やケガ等により腕を動かし難い患者には、本発明のＲＦＩＤタグをリストバンドに取り付け、さらにＲＦＩＤインレットのＩＣチップに個人を特定する患者認識情報をデータ化して記憶して使用する。これにより、ＲＦＩＤタグのＲＦＩＤインレットに記憶したデータを所定の入出力装置により非接触で読み取ることができるから、患者の腕を動かすこと無く正確かつ容易に患者個人を特定できる。そのため、こうした患者の負担を軽減し、且つ患者識別情報を得るという作業の作業性を改善できる。一方、健康診断等の患者や比較的容易に腕を動かすことができる患者には、患者識別情報のバーコードを記録したリストバンドのみを使用することによって、前記のように患者個人を特定できる。このように、患者に応じて、本発明のＲＦＩＤタグをリストバンドに取り付ける場合と、取り付けない場合とを適宜選択できる。そして、かかる本発明のＲＦＩＤタグは、リストバンドと別部材であることから、リストバンドと別々に保管や購入等を行うことができるため、これら作業に要する手間を可及的に抑制することができ、さらにこれらに伴うコストも抑制できる。尚、リストバンドには、従来から用いられている薄厚の帯形状のものを適用できるため、本発明のＲＦＩＤタグを準備することのみで、医療現場で上述した作用効果が得られる。
【００１１】
また、本発明のタグ担持体は、易変形性を有するものであることから、リストバンドに取り付けた状態で患者の腕に倣うように曲がり易く、該患者の腕にフィットし易いという利点もある。
【００１２】
上述した本発明のＲＦＩＤタグにあって、タグ担持体は、一側の連係部に固結機構が設けられ、他側の連係部に、リストバンドを挿通可能な挿通孔が設けられたものである構成が提案される。
【００１３】
かかる構成にあっては、他側の連係部の挿通孔にリストバンドを挿通し、かつ一側の連係部の固結機構で該リストバンドに固結することによって、該リストバンドに取り付けることができるため、比較的容易に取り付けることができる。したがって、本構成のＲＦＩＤタグをリストバンドに取り付ける取付作業の作業性を向上できる。
【００１４】
上述した本発明のＲＦＩＤタグにあって、タグ担持体は、ＲＦＩＤインレットを該タグ担持体の下縁から５ｍｍ以上離間して保持するものである構成が提案される。
【００１５】
かかる構成にあっては、ＵＨＦ帯域の電磁波を使用するＲＦＩＤインレットを適用可能とするものであり、該ＲＦＩＤインレットと患者の腕とを５ｍｍ以上離間できることによって、ＵＨＦ帯域の電磁波に対する人体の影響を軽減することができ、該ＵＨＦ帯域の電磁波による通信が可能となる。ＵＨＦ帯域の電磁波は、通信距離（数ｍ）が比較的長いことから、上述したロケーション管理に、本構成のＲＦＩＤタグを取り付けたリストバンドを適用することが可能となる。
【００１６】
尚ここで、ＲＦＩＤインレットと担持体下縁との間隔は、５ｍｍ以上で、できるだけ大きくすることによって、ＵＨＦ帯域の電磁波が人体から受ける影響を可及的に小さくできる。しかしながら、本発明は、リストバンドに取り付けるものであることから、前記間隔を大きくするためには、タグ担持体の厚みを増加させねばならず、該厚みが大きくなりすぎれば、患者にとって邪魔になり易い。さらに、タグ担持体の寸法サイズ（厚み）が大きくなることによって、保管場所や運搬に手間を要することから、可及的に小さいサイズが好ましい。こうしたことから、ＲＦＩＤインレットと担持体下縁との間隔は、５ｍｍ以上かつ１５ｍｍ以下とすることが好適である。
【００１７】
このようなＲＦＩＤタグの構成にあって、タグ担持体は、その下面部に複数の凹凸が形成された凹凸下部を備えたものである構成が提案される。
【００１８】
かかる構成によれば、タグ担持体を湾曲変形させ易く、患者の腕に倣うようにして装着させることが一層容易である。また、タグ担持体の容積を低減できることから、軽量化することでき、これを装着した患者の負担を軽減することができる。
【００１９】
上述した本発明のＲＦＩＤタグにあって、タグ担持体は、ＲＦＩＤインレット下に、高透磁率シートが配設されている構成が提案される。
【００２０】
かかる構成にあっては、ＵＨＦ帯域の電磁波を使用するＲＦＩＤインレットを適用可能とするものであり、該ＲＦＩＤインレットと人体との間に高透磁率シートが介装される。そのため、高透磁率シートによって、ＵＨＦ帯域の電磁波が人体から受ける影響を抑制でき、該ＵＨＦ帯域の電磁波による通信が可能となる。したがって、通信距離が比較的長いＵＨＦ帯域の電磁波により、上述したロケーション管理に本構成のＲＦＩＤタグを取り付けたリストバンドを適用できる。
【００２１】
尚ここで、高透磁率シートとしては、軟磁性粉末と合成ゴムとからなるものが好適であり、さらに、ＵＨＦ帯域において低い磁気損失と高い実数透磁率を両立するものが好適である。
【００２２】
一方、本発明の患者情報管理方法は、上述した本発明のリストバンド用のＲＦＩＤタグを用いた方法であって、リストバンドに記録された患者識別情報を、所定のデータ移送装置を介して読み込み、該読み込んだ患者識別情報を、該データ移送装置を介して、前記ＲＦＩＤタグのＲＦＩＤインレットのＩＣチップに記憶するようにしたことを特徴とする患者情報管理方法である。
【００２３】
かかる方法にあっては、上述した本発明のＲＦＩＤタグをリストバンドに取り付けて使用する場合に、リストバンドに予め記録された患者識別情報を読み取って、該リストバンドに取り付けたＲＦＩＤタグのＲＦＩＤインレットに書き込んで記憶するようにしたものであるから、リストバンドに記録した患者識別情報とＲＦＩＤタグに記憶する患者識別情報とを確実かつ安定して一致させることができる。これにより、医療現場で、患者識別情報を用いた医療事故が発生することを、可及的に抑制できる。
【００２４】
尚ここで、リストバンドには、上述したように、一般的に患者識別情報がバーコード化されて印刷されていることから、該バーコードから患者識別情報を読み込んで、ＲＦＩＤタグに記録することによって、本発明の方法を適用できる。すなわち、データ移送装置としては、バーコードを読込可能であり且つＲＦＩＤインレット（ＩＣチップ）に書込可能である装置が適用できる。また、リストバンドには、前記したバーコードの他に、患者氏名やＩＤ番号等を印刷し、これらを読み込んでＲＦＩＤタグに記録するようにしても良い。
【発明の効果】
【００２５】
本発明のリストバンド用のＲＦＩＤタグは、上述したように、ＲＦＩＤインレットを保持するタグ担持体の、少なくとも一側端の連係部に固結機構を備え、リストバンドの調整孔のいずれかに貫入した該固結機構の係止突部によって、該タグ担持体をリストバンドに取り付けるようにしたものであるから、比較的容易にＲＦＩＤタグをリストバンドに取り付けできると共に、リストバンドにＲＦＩＤタグを取り付ける場合と取り付けない場合とを患者に応じて選択することができる。そして、本構成のＲＦＩＤタグは、リストバンドと別部材であることから、それぞれを購入、保管することができ、これら作業に要する手間とコストとを可及的に抑制できる。
【００２６】
また、本発明のＲＦＩＤタグを用いた患者情報管理方法は、リストバンドに記録された患者識別情報を読み取って、該ＲＦＩＤタグのＲＦＩＤインレットに記録するようにした方法であるから、リストバンドの患者識別情報とＲＦＩＤタグの患者識別情報とを確実に一致させることができる。
【図面の簡単な説明】
【００２７】
【図１】実施例１にかかるＲＦＩＤタグ１の、（Ａ）正面図と、（Ｂ）平面図である。
【図２】ＲＦＩＤタグ１の、（Ａ）図１のＰ−Ｐ断面図と、（Ｂ）図１のＱ−Ｑ断面図である。
【図３】ＲＦＩＤインレット２の平面図である。
【図４】リストバンド４１の平面図である。
【図５】ＲＦＩＤタグ１の固結機構をリストバンド４１に取り付ける状態を示す説明図である。
【図６】ＲＦＩＤタグ１をリストバンド４１に取り付けた状態を示す説明図である。
【図７】実施例２にかかるＲＦＩＤタグ７１の、（Ａ）正面図と、（Ｂ）縦断面図である。
【図８】ＲＦＩＤタグ７１をリストバンド４１に取り付けた状態を示す説明図である。
【図９】実施例３にかかるＲＦＩＤタグ８１の、（Ａ）正面図と、（Ｂ）平面図である。
【図１０】ＲＦＩＤタグ８１の、蓋部８５を開放した状態を示す説明図である。
【図１１】ＲＦＩＤタグ８１をリストバンド４１に取り付けた状態を示す説明図である。
【図１２】実施例４にかかるＲＦＩＤタグ９１の、（Ａ）正面図と、（Ｂ）縦断面図である。
【図１３】ＲＦＩＤタグ９１をリストバンド４１に取り付けた状態を示す説明図である。
【発明を実施するための形態】
【００２８】
本発明にかかる実施形態を、以下の実施例１〜３に従って説明する。
【実施例１】
【００２９】
実施例１のＲＦＩＤタグ１は、図１，２のように、ＲＦＩＤインレット２とタグ担持体３とから構成されている。ＲＦＩＤインレット２は、図３のように、合成樹脂製のフィルム１１上にＩＣチップ１２と該ＩＣチップ１２に接続されたアンテナ１３とを備えている。このＲＦＩＤインレット２は、図示しない入出力装置（リーダ・ライタ装置）との間で、電磁波を利用してコマンドやデータ等の信号を非接触で送受信できる非接触型の電池レスタイプであり、前記ＩＣチップ１２が具備するメモリに前記入出力装置と交信されたコマンドやデータ等が記憶される。
【００３０】
ここで、合成樹脂製のフィルム１１としては、ポリエチレンテレフタラート、ポリブチレンテレフタレート、ポリイミド等の合成樹脂製ものが好適に用いられ、フィルム厚が１０μｍ〜１００μｍのものを適用できる。このフィルム１１は、易変形性を有する。また、本実施例１にあって、ＲＦＩＤインレット２は、ＵＨＦ帯域（例えば、８００ＭＨｚ〜１ＧＨｚ）で通信可能とするものであり、使用する電磁波に応じてＩＣチップ１２やアンテナ１３が設定されている。例えば、アンテナ１３には、ダイポールアンテナやメアンダラインアンテナ等の小型のものを適用でき、アンテナ長さを約１０ｃｍとしたものが好適に用いられる。
【００３１】
また、上記のタグ担持体３は、図１，２のように、横長六面体が左右横方向で円弧状に湾曲された形状からなり、上下方向に所定厚みを有するものである。そして、タグ担持体３には、ＲＦＩＤインレット２を、該タグ担持体の上面（又は下面）に沿って湾曲した状態で内部保持できるように、該上面（又は下面）の面積が、該ＲＦＩＤインレット２のフィルム面積よりも大きくなっている。これにより、タグ担持体３は、内部保持したＲＦＩＤインレット２を外部に露出せず、完全に保護できる。そして、外部からの衝撃などによってＲＦＩＤインレット２が損傷する等の不具合の発生を抑制できる。
【００３２】
尚ここで、本実施例１にあって、ＲＦＩＤインレット２は、その幅寸法が約９．５ｍｍ、左右横方向の円弧長さが約７０ｍｍに設定されている。一方、タグ担持体３は、幅寸法が約１４ｍｍ、左右横方向の円弧長さ（後述の連係部２１ａ，２１ｂを除く）が約８０ｍｍ、上下方向の厚みが約１０ｍｍとなっており、その下面から約８ｍｍ程度の高さ位置にＲＦＩＤインレット２が配設されている。すなわち、タグ担持体３の下面とＲＦＩＤインレット２との間隔が約８ｍｍである。
【００３３】
タグ担持体３は、その左右両端下部に、左右外方に夫々突出する薄厚状の連係部２１ａ，２１ｂを備えている。一側の連係部２１ａには、上下方向に貫通する円形状の固結孔２３が開口形成されており、他側の連係部２１ｂには、上下方向に貫通する長方形状の挿通孔２４が開口形成されている。ここで、連係部２１ａの固結孔２３は、後述するリストバンド４１の調整孔４４と同等の孔径で形成され、連係部２１ｂの挿通孔２４は、該リストバンド４１を挿通可能とするサイズに形成されている。
【００３４】
こうしたタグ担持体３の素材には、シリコン系のプラスチックやウレタン系のプラスチックなどを適用することができる。こうしたシリコン系やウレタン系のプラスチック（ゴムや発泡体など）は、柔軟性、耐候性、耐熱性等に優れ、さらには人体にとってアレルギー反応が少ないという利点も有する。
【００３５】
さらに、ＲＦＩＤタグ１は、上記のタグ担持体３を後述するリストバンド４１に固定するための固結留め具４を備えている（図６参照）。この固結留め具４は、図５のように、円盤状の支持盤部３２と該支持盤部３２の中央から突出する係止突部３３とを備えた雄型留め片３１と、該係止突部３３を嵌入可能な係止孔３６が開口形成された円盤状の雌型留め片３５とから構成されている。ここで、雄型留め片３１の係止突部３３は、上記したリストバンド４１の調整孔４４と連係部２１ａの固結孔２３とに貫入可能となっている。そして、係止突部３３と係止孔３６とは、該係止突部３３が係止孔３６に嵌入した係合状態で、両者を脱離不能とするように構成されている。また、雄型留め片３１の支持盤部３２と雌型留め片３５とは、略同じ外径寸法に形成されており、上記したリストバンド４１の調整孔４４（および連係部２１ａの固結孔２３）よりも大きい外径寸法となっている。
【００３６】
こうした固結留め具４は、図５のように、上述したタグ担持体３の固結孔２３と後述するリストバンド４１の調整孔４４のいずれかとを重ね合わせた状態で、その表裏一側から、雄型留め片３１の係止突部３３を、該固結孔２３と調整孔４４とに貫入し、表裏他側に突出した該係止突部３３に、雌型留め片３５の係止孔３６を嵌め合わせて係合する。このように固結留め具４により、図６のように、タグ担持体３の一側の連係部２１ａを、リストバンド４１に固結することができる。尚、本実施例にあっては、この固結留め具４は、タグ担持体３と別部材であり、高密度ポリエチレン、ポリスチレン、ポリアミド、アクリル樹脂、ＡＳ樹脂、ＡＢＳ樹脂、ポリプロピレン等の硬質プラスチックにより形成されている。
【００３７】
一方、上述したＲＦＩＤタグ１を取り付けるリストバンド４１は、図４のように、長尺な帯状を成し、一端部から所定間隔を置いて複数の調整孔４４が形成されたバンド部４３と、他端部に形成された係合孔４６ａ，４６ｂを備えた係合部４５と、患者の識別情報が印刷される情報表示部４２とを備えたものである。ここで、情報表示部４２は、係合部４５とバンド部４３との間に形成されている。また、バンド部４３には、複数の調整孔４４が、リストバンド４１の幅方向の略中央に夫々形成されている。また、係合部４５は、リストバンド４１の長手方向に沿ったベース部４７と、該ベース部４７から該長手方向と直交する片側に延成された矩形状の折返部４８とから構成されている。そして、ベース部４７の略中央に係合孔４６ａが形成され、折返部４８の略中央に係合孔４６ｂが形成されており、該折返部４８をベース部４７側に折り返して該ベース部４７と重ね合わせた状態で、両者の係合孔４６ａ，４６ｂとが重なって連通する。ここで、本実施例にあっては、ベース部４７の係合孔４６ａが前記調整孔４４と同じ孔径に形成され、折返部４８の係合孔４６ｂが該調整孔４４よりも若干大きい孔径に形成されている。
【００３８】
尚、リストバンド４１は、ポリウレタンやポリエステル等の合成樹脂材料から形成されており、柔軟性（易変形性）と肌触りの良さとを有している。そして、上記した係合部４５を除き、同じ幅寸法の帯状であり、該幅寸法が約１０ｍｍとなっている。
【００３９】
こうしたリストバンド４１は、リング状に巻回されて、バンド部４３と係合部４５のベース部４７とを重ね合わせ、該係合部４５の折返部４８を折り返して、ベース部４７と折返部４８とによってバンド部４３の一部を表裏から挟む。そして、バンド部４３の調整孔４４のいずれかとベース部４７の係合孔４６ａと折返部４８の係合孔４６ｂとを重ね合わせて、表裏方向で連通させる。この状態で、バンド留め具５１により、バンド部４３と係合部４５とを係合する（図６参照）。ここで、係合孔４６ａ，４６ｂと係合させる調整孔４を選択することによって、患者の手首や足首に応じて長さ調整することができ、患者に合わせた大きさのリング状に形成することができる。
【００４０】
上記のバンド留め具５１は、上述した固結留め具４と同じ構成であり、図示しない雄型留め片と雌型留め片とからなる。雄型留め片は、円盤状の支持盤部とその中央から突出する係止突部とを備えており、円盤状の雌型留め片には、その中央に該係止突部を嵌入する係止孔が形成されている。このバンド留め具５１は、上述したようにバンド部４３の調整孔４４のいずれかと係合部４５の係合孔４６ａ，４６ｂとを重ね合わせた状態で、表裏一側から、雄型留め片の係止突部を、調整孔４４と係合孔４６ａ，４６ｂとに貫入させ、表裏他側から雌型留め片の係止孔を該係止突部に嵌め合わせて係合する。これにより、バンド部４３の調整孔４４と係合部４５の係合孔４６ａ，４６ｂとを係合して、リストバンド４１をリング状に形成する（図６参照）。尚、このバンド留め具５１にあっても、係止突部と係止孔とを嵌め合わせた係合状態で両者を脱離不能とするようにしていることから、リストバンド４１を患者から取り外す際には、リストバンド４１を切断することを要する。
【００４１】
さらに、このリストバンド４１の情報表示部４２には、図４のように、リング状とした状態で外側となる表面に、患者個人を識別するための患者識別情報が印刷される。この印刷作業は、細長い帯状の状態で所定のプリンタで行うことができ、安定かつ正確に患者識別情報を印刷できる。ここで、患者識別情報には、氏名や患者ＩＤ等が活字により表示された情報と、同様の氏名や患者ＩＤ等がバーコードにより表示された情報とを設定している。これにより、担当医や看護婦が目視により患者を特定できると共に、所定のバーコードリーダ装置によりバーコードを読み込んで患者を特定できることから、該患者に応じた診療処置を正しく行うことができ、過誤診療を防止できる。
【００４２】
こうしたリストバンド４１に、上述した本実施例１のＲＦＩＤタグ１を取り付けて使用することができる。すなわち、リストバンド４１をリング状とする前に、該リストバンド４１を、ＲＦＩＤタグ１の一端に設けられた連係部２１ｂの挿通孔２４内に挿通させる。そして、図５のように、ＲＦＩＤタグ１の他端に設けられた連係部２１ａの固結孔２３を、リストバンド４１の調整孔４４のいずれかと重ね合わせ、上述した固結留め部４によって、該連係部２１ａをリストバンド４１に固結する。こうしてリストバンド４１にＲＦＩＤタグ１を取り付けることができる。その後、上述したように、患者に合わせて、リストバンド４１をリング状として、上記のバンド留め具５１によって固定する（図６）。
【００４３】
ＲＦＩＤタグ１には、そのタグ担持体３に保持されたＲＦＩＤインレット２のＩＣチップ１２に、患者の識別情報がデータ化されて記憶される。リストバンド４１の情報表示部４２には、上述したようにプリンタにより患者識別情報（バーコード等）が印刷されることから、ＲＦＩＤタグ１を取り付ける前に、該情報表示部４２に該患者識別情報が印刷される。その後、患者識別情報が印刷されたリストバンド４１に、上述したように、ＲＦＩＤタグ１が取り付けられる。この取り付けの際には、ＩＣチップ１２に患者識別情報のデータが記憶されていないＲＦＩＤタグ１を用いる。こうしてＲＦＩＤタグ１をリストバンド４１に取り付けた後で、所定のデータ移送装置（図示しない）を用いて、該リストバンド４１の情報表示部４２に印刷された患者識別情報を読み込む。そして、データ移送装置により、リストバンド４１から読み込んだ患者識別情報をデータ化して、該リストバンド４１に取り付けたＲＦＩＤタグ１のＲＦＩＤインレット２のＩＣチップ１２に書き込んで記録する。ここで、データ移送装置には、バーコードの読み取り機能と、該機能により読み取った情報を入力データに変換する機能と、変換した入力データをＵＨＦ帯域の電磁波により出力する機能とを有するハンディタイプのものが好適に用いられる。これにより、リストバンド４１の情報表示部４２に印刷された患者識別情報を読み込んで、ＵＨＦ帯域の電磁波によりＲＦＩＤインレット２のＩＣチップ１２に非接触で記憶できることから、ＲＦＩＤタグ１にリストバンド４１と同じ患者識別情報を確実に記録することができ、記録間違い等の発生を可及的に抑制できる。
【００４４】
本実施例１のＲＦＩＤタグ１は、リストバンド４１と別部材であり、該リストバンド４１に取り付ける場合と取り付けない場合とを医療現場で適宜選択することができるものである。すなわち、健康診断等の患者や比較的容易に腕を動かすことができる患者等には、リストバンド４１のみを取り付けて、ＲＦＩＤタグ１を使用しない。一方、病気や怪我などにより腕を動かすことが困難な患者には、リストバンド４１にＲＦＩＤタグ１を取り付けて該患者の腕に装着する。これにより、所定のデータ入出力装置を用いて、非接触でＲＦＩＤタグ１のＩＣチップ１２に記憶された患者識別情報を読み取ることができるから、患者の腕を動かすことなく、正確かつ容易に患者個人を特定できる。そのため、患者識別情報を確認する際に、患者の負担を軽減できると共に、該情報を得る作業の作業性が向上する。例えば、就寝中などでは、布団の上から、患者識別情報を読み取ることができる。
また、本実施例１のＲＦＩＤタグ１は、上述したように、タグ担持体３の挿通孔２４にリストバンド４１を挿通し、該リストバンド４１の調整孔４４のいずれかとタグ担持体３の固結孔２３とを固結留め具４によって係合することにより、比較的容易に取り付けることができる。そのため、ＲＦＩＤタグ１とリストバンド４１とが別部材であっても、両者を固結する作業に要する負担が可及的に少ない。加えて、ＲＦＩＤタグ１がリストバンド４１と別部材であることから、両者を夫々に必要数購入でき、また夫々を保管して管理することができる。そのため、こうした購入や保管などに要する作業の手間やコストを可及的に低減することが可能である。また、ＲＦＩＤタグ１を取り付ける前に、薄厚のリストバンド４１に、一般的なプリンタによって患者識別情報を印刷することができる。
また、ＲＦＩＤタグ１は、リストバンド４１に記録した患者識別情報を損なうことなく、該患者識別情報を追加記憶するものである。そのため、仮に、リストバンド４１に印刷した患者識別情報が水や薬品等により消失してしまった場合にも、データ入出力装置を用いることによってＲＦＩＤタグ１から患者識別情報を正しく確認できる。
【００４５】
さらに、本実施例１のＲＦＩＤタグ１は、上述したように、ＲＦＩＤインレット２がタグ担持体３の下面から約８ｍｍ（５ｍｍ以上）離間した位置に保持されている。これにより、ＲＦＩＤタグ１を取り付けたリストバンド４１を患者の腕に装着した状態で、ＲＦＩＤインレット２が患者の腕（人体）から少なくとも約８ｍｍ以上離れた位置で保持される。このようにＲＦＩＤインレット２を人体から５ｍｍ以上離間させる構成は、該ＲＦＩＤインレット２をＵＨＦ帯域の電磁波により通信可能とするためである。すなわち、ＲＦＩＤインレット２が人体から５ｍｍ以上離間することによって、ＵＨＦ帯域の電磁波に対する人体の影響を軽減することができ、該ＵＨＦ帯域の電磁波による通信が可能となる。ここで、人体とＲＦＩＤインレット２との離間距離は、該距離が広がるにつれて、ＵＨＦ帯域の電磁波に対する人体の影響を小さくできる。こうしたＵＨＦ帯域の電磁波を用いることによって、ＲＦＩＤインレット２の通信距離は比較的長い距離（数ｍ）となることから、上記したデータ入出力装置により患者識別情報を確認する場合に、腕を動かすことが困難な患者に対して、該患者の負担を一層軽減できると共に該確認作業の作業性を一層向上できる。
さらに、こうしたＲＦＩＤタグ１をリストバンド４１に取り付けて使用すれば、患者のロケーション管理を行うことも可能である。例えば、ＵＨＦ帯域の電磁波を自動的に通信する装置を、病院内で予め定めた複数場所に設置する。これにより、前記場所を患者が移動した場合に、その移動履歴が分かり、患者の所在位置を容易に特定できる。こうしたロケーション管理を行うことによって、例えば、入院中の患者が、診療時間に病室にいない場合などで、患者の所在を容易かつ確実に知ることが可能である。
【００４６】
尚、本実施例１にあって、タグ担持体３の一側の連係部に設けられた固結孔２３と個着留め具４とにより、本発明にかかる固結機構が構成されている。また、本発明にかかる患者情報管理方法は、上述したように、リストバンド４１の情報表示部４２に印刷された患者識別情報を、ＲＦＩＤタグ１を該リストバンド４１に取り付けた後に、データ移送装置により読み込み、該ＲＦＩＤタグ１ののＲＦＩＤインレット２のＩＣチップ１２に書き込んで記録することによって、実現されている。
【実施例２】
【００４７】
実施例２のＲＦＩＤタグ７１は、図７，８のように、タグ担持体７３が、その下部に左右横方向に沿った波形状の凹凸下部７４を備えている。そして、タグ担持体７３は、六面体を左右横方向に湾曲させたブロック上部７５と、前記凹凸下部７４とを備え、該ブロック上部７５と凹凸下部７４とが一体的に形成されている。ここで、本実施例２の構成では、凹凸下部７４は、その下端から約５ｍｍの高さで形成されており、ブロック上部７５は上下方向高さが約５ｍｍに形成されている。そして、ブロック上部７５には、タグ担持体７３の下縁から約８ｍｍの高さ位置に、ＲＦＩＤインレット２が配設されて保持されている。
【００４８】
また、タグ担持体７３には、その凹凸下部７４の両端下部から連係部２１ａ，２１ｂが夫々延成されており、一側の連係部２１ａに固結孔２３が開口形成されており、他側の連係部２１ｂに挿通孔２４が開口形成されている。
【００４９】
本実施例２のＲＦＩＤタグ７１は、図８のように、上述した実施例１と同様にリストバンド４１に取り付けることができる。尚、実施例２の構成にあっては、ＲＦＩＤタグ７１のタグ担持体７３を凹凸下部７４を備える構成とした以外、上述した実施例１と同じ構成であり、同じ構成要素には同じ符号を記し、その説明を省略する。
【００５０】
本実施例２のＲＦＩＤタグ７１にあっても、上述した実施例１と同様に、リストバンド４１と別部材であり且つ該リストバンド４１に取り付け可能であると共に、該リストバンド４１に印刷した患者識別情報を該ＲＦＩＤタグ７１のＲＦＩＤインレット２に記録することができる。こうしたことから、本実施例２の構成にあっても、上述した実施例１と同様の作用効果を奏する。
さらに、本実施例２のＲＦＩＤタグ７１は、タグ担持体７３が波形状の凹凸下部７４を備えていることから、同じ外形寸法のブロック状のもの（例えば、実施例１の構成）に比して、該タグ担持体７３を軽量化することができる。これにより、リストバンド４１に取り付けて患者に装着した場合に、該患者の負担を軽減することができ、比較的長期に亘って装着することによる患者の抵抗感を可及的に抑制でき得る。また、こうした凹凸下部７４は、軽量化しつつ、ＲＦＩＤインレット２と人体との距離を離間させ得るものであるから、その高さ寸法を５ｍｍよりも大きくすれば、前記軽量化による効果を発揮しつつ、上述したＵＨＦ帯域の電磁波に対する人体の影響を一層小さくできる。そのため、ＵＨＦ帯域の電磁波による通信を一層安定的に行うことが可能である。
【実施例３】
【００５１】
実施例３のＲＦＩＤタグ８１は、図９〜１１のように、タグ担持体８３が、略長方形状の上方開口部（図示せず）を有する装着凹部８６を備えた筐体部８４と、該筐体部８４の上方開口部に嵌入される閉鎖凸部８６を備えた蓋部８５とから構成されてなる。そして、筐体部８４の上方開口部を閉塞するように蓋部８５が嵌め合わされることにより、内部空隙８２が形成され、該内部空隙８２にＲＦＩＤインレット２が配設される。
【００５２】
タグ担持体８３の筐体部８４の装着凹部８６は、その下面部が左右横方向に湾曲された形状をなし、当該ＲＦＩＤタグ８１をリストバンド４１に取り付けて患者の腕等に装着した場合に、該腕に無理なくフィットできるようにしている。
【００５３】
タグ担持体８３は、筐体部８４が装着凹部８６の左右両端上部から左右外方に夫々延出する薄板状の連係下部８７ａ，８８ａを備え、一側の連係下部８７ａの外端縁から折り返されるように蓋部８５が延成されている。蓋部８５は、連係下部８７ａから延成されて該連係下部８７ａと重なり合う連係上部８７ｂと、連係下部８８ａと重なり合う連係上部８８ｂとを備え、該連係上部８７ｂと連係上部８８ｂとが閉鎖凸部８６の左右両端から左右外方に夫々延出されている。そして、筐体部８３の上方開口部を蓋部８５により閉塞した状態で、連係下部８７ａと連係上部８７ｂとが重なり合って連係部８７を構成し、連係下部８８ａと連係上部８８ｂとが重なり合って連係部８８を構成する。そして、連係下部８７ａ，８８ａと連係上部８７ｂ，８８ｂとには、それぞれ上下方向に貫通する円形状の固結孔８９が開口形成されており、連係下部８７ａと連係上部８７ｂとが重なり合った状態で、これらの固結孔８９，８９が連通し、同様に連係下部８８ａと連係上部８８ｂとが重なり合った状態で、これらの固結孔８９，８９が連通する。
【００５４】
こうしたタグ担持体８３は、蓋部８５の閉鎖凸部８６の下面に、ＲＦＩＤインレット２を貼り付けて、該蓋部８５を筐体部８３に嵌め合わせることにより、該ＲＦＩＤインレット２を内部空隙８２内に配設する。これにより、ＲＦＩＤインレット２を外部に露出せず、完全に保護できる。
【００５５】
尚、本実施例３にあって、タグ担持体８３は、幅寸法が約１４ｍｍ、左右横方向の長ささ（左右の連係部８７，８８を除く）が約８０ｍｍ、上下方向の最低厚みが約１０ｍｍとなっている。そして、蓋部８３の閉鎖凸部８６の上下方向の高さが約２ｍｍとなっていることから、該閉鎖凸部８６の下面に貼付されるＲＦＩＤインレット２と筐体部８３の下面との最低間隔が、約８ｍｍである。
【００５６】
本実施例３のＲＦＩＤタグ８１は、図１１のように、リストバンド４１に取り付けることができる。すなわち、ＲＦＩＤタグ８１の一端に設けられた連係部８７の固結孔８９を、リストバンド４１の調整孔４４のいずれかと重ね合わせ、上述した固結留め具４によって、該連係部８７をリストバンド４１に固結する。連係部８７の固結孔８９と重ね合わせる調整孔４４は、情報表示部４２寄りのものとする。また、リストバンド４１の情報表示部４２がＲＦＩＤタグ８１の蓋部８５に上側から重なるようにして、ＲＦＩＤタグ８１の他端に設けられた連係部８８の固結孔８９を、リストバンド４１の係合孔４６ａと重ね合わせる。そして、リストバンド４１をリング状に巻回させて、調整孔４４のいずれかを、前記固結孔８９および係合孔４６ａと重ね合わせ、さらに、該リストバンド４１の折返部４８を折り返して係合孔４６ｂを重ね合わせ、上述したバンド留め具５１によって、リストバンド４１の係合部４５およびバンド部４３と、ＲＦＩＤタグ８１の連係部８８とを係合する。これにより、リストバンド４１をリング状に形成し、該リング状の内側でＲＦＩＤタグ８１が該リストバンド４１に固定される。尚、本実施例３にあっては、ＲＦＩＤタグ８１が、固結留め具４とバンド留め具５１とによってリストバンド４１に装着されており、バンド留め具５１は、リストバンド４１とＲＦＩＤタグ８１とを装着する役割と、リストバンド４１をリング状とする役割との両方を有する。そのため、本実施例３では、バンド留め具５１が、固結留め具５１と同様、本発明の固結機構を構成する。
【００５７】
本実施例３のＲＦＩＤタグ８１にあっても、上述した実施例１と同様に、リストバンド４１と別部材であり且つ該リストバンド４１に取り付け可能であると共に、該リストバンド４１に印刷した患者識別情報を該ＲＦＩＤタグ７１のＲＦＩＤインレット２に記録することができる。こうしたことから、本実施例３の構成にあっても、上述した実施例１と同様の作用効果を奏する。
さらに、本実施例３のＲＦＩＤタグ８１は、タグ担持体８３の筐体部８４の下面を湾曲面としていることから、リストバンド４１に取り付けて患者の腕等に装着した場合に、前記湾曲面が患者の腕にフィットすることから、装着による違和感を軽減できる。また、ＲＦＩＤタグ８１のタグ担持体８３は、筐体部８４と蓋部８５とから構成されて内部空隙８６を形成するようにしたものであり、同じ外径寸法のブロック状のものに比して軽量化できる。これにより、リストバンド４１に取り付けて患者に装着した場合に、該患者の負担を軽減することができる。こうしたことから、比較的長期に亘って装着することによる患者の抵抗感を可及的に抑制でき得る。また、タグ担持体８３は、内部空隙８６により軽量化しつつ、ＲＦＩＤインレット２と人体との距離を離間させ得るものであるから、該内部空隙８６内に配設したＲＦＩＤインレット２と筐体部８４の下面との間隔を５ｍｍよりも大きくすれば、前記軽量化による効果を発揮しつつ、上述したＵＨＦ帯域の電磁波に対する人体の影響を一層小さくできる。そのため、ＵＨＦ帯域の電磁波による通信を一層安定的に行うことが可能である。
【実施例４】
【００５８】
実施例４のＲＦＩＤタグ９１は、図１２，１３のように、タグ担持体９３が、その上下方向の高さ寸法を２ｍｍ〜３ｍｍ程度の薄肉なものとし、その下面にＲＦＩＤインレット２が貼付され、さらに該ＲＦＩＤインレット２を下側から被覆するように高透磁率シート９５が貼付されている。すなわち、ＲＦＩＤインレット２は、タグ担持体９３と高透磁率シート９５とにより挟まれて保持されている。尚、高透磁率シート９５は、その幅寸法が約１４ｍｍ、左右横方向の長さ寸法が約８０ｍｍとしており、ＲＦＩＤインレット２を下方から完全に覆い隠すことができる。
【００５９】
このタグ担持体９３にあっては、その両端から連係部２１ａ，２１ｂが夫々延成されており、一側の連係部２１ａに固結孔２３が開口形成されており、他側の連係部２１ｂに挿通孔２４が開口形成されている。
【００６０】
本実施例４のＲＦＩＤタグ９１は、図１０のように、上述した実施例１と同様にリストバンド４１に取り付けることができる。尚、本実施例３の構成にあっては、薄肉形状のタグ担持体９３の下面にＲＦＩＤインレット２と高透磁率シート９５とが貼付された構成とした以外、上述した実施例１と同じ構成であり、同じ構成要素には同じ符号を記し、その説明を省略する。
【００６１】
本実施例４のＲＦＩＤタグ９１は、ＲＦＩＤインレット２の直下に配設した高透磁率シート９５によって、ＵＨＦ帯域の電磁波に対する人体の影響を軽減することができるため、上述した実施例１〜３に比してＲＦＩＤインレット２と人体との離間距離を狭くしても、該ＵＨＦ帯域の電磁波を通信可能である。ここで、高透磁率シート９５としては、ＵＨＦ帯域において低い磁気損失と高い実数透磁率とを両立するものが好適に用いられ、軟磁性粉末（例えば、Ｆｅ系合金粉末）と合成ゴムとからなるものが適用できる。軟磁性粉末として、例えば、Ｆｅ−１３Ｃｒ合金を微細化した粉末を用いた。このＦｅ−１３Ｃｒ合金粉末は、耐食性に優れ、高い結晶磁気異方性を有することから、該Ｆｅ−１３Ｃｒ合金粉末を含む高透磁率シート９５は、ＵＨＦ帯域において高い実数透磁率と低い磁気損失とを実現できる。
【００６２】
このように、本実施例４のＲＦＩＤタグ９１は、リストバンド４１に取り付けて患者の腕に装着した場合に、ＲＦＩＤインレット２と人体との間に高透磁率シート９５が介装された状態となることから、該ＲＦＩＤインレット２により送受信されるＵＨＦ帯域の電磁波が、高透磁率シート９５によって人体の影響を受け難くなり、所定の入出力装置と該ＲＦＩＤインレット２との間で通信可能となる。こうしたことから、本実施例４の構成にあっても、上述した実施例１と同様に、ＵＨＦ帯域の電磁波を用いたロケーション管理や患者識別情報の確認を安定して行うことができる。
【００６３】
また、本実施例４のＲＦＩＤタグ９１にあっても、上述した実施例１と同様に、リストバンド４１と別部材であり且つ比較的容易に取り付け可能であると共に、該リストバンド４１に印刷した患者識別情報を該ＲＦＩＤタグ９１のＲＦＩＤインレット２に記録することができる。こうしたことから、本実施例４の構成にあっても、上述した実施例１と同様の作用効果を奏する。
【００６４】
さらに、本実施例４の構成は、上述した実施例１に比して、タグ担持体９３が薄肉厚の形状とできるため、軽量化することができる。これにより、リストバンド４１に取り付けて患者に装着した場合に、該患者の負担を軽減することができ、比較的長期に亘って装着することによる患者の抵抗感を可及的に抑制でき得る。
【００６５】
上述した実施例１〜４の構成にあっては、タグ担持体と固結留め具とを別部材とした構成であるが、これに限定されず、タグ担持体の一側の連係部に、固結留め部が形成されたものとしても良い。例えば、固結留め部は、連係部から裏方へ突成された係止突部と、該連係部から長手方向と直交する一側に延成され、該係止突部に嵌合される係合孔が形成された折返し部とを備え、係止突部を調整孔に貫入し、折返し部を折り返して係合孔を該係止突部に嵌め合わせることによって、連係部をリストバンドに係合できる。
【００６６】
また、上述した実施例１，２，４は、タグ担持体の一側の連係部に固結孔を形成し、他方の連係部に挿通孔を形成した構成であるが、実施例３と同様に、左右両側の連係部に夫々固結孔を形成して、夫々と固結留め部によりリストバンドに取り付けるようにしても良い。また、上述した実施例３の構成にあって、実施例１，２，４と同様に、タグ担持体の一側の連係部に挿通孔を形成した構成とすることも可能である。また、実施例３にあって、タグ担持体が、その下部に、実施例２と同様の凹凸下部を備えた構成とすることもできる。
【００６７】
また、上述した実施例４の構成にあっては、タグ担持体の下面にＲＦＩＤインレットと高透磁率シートとを貼付したものであるが、その他の構成として、タグ担持体の内部にＲＦＩＤインレットと高透磁率シートとを保持する構成とすることもできる。また、ＲＦＩＤインレットをタグ担持体の内部に保持し、該タグ担持体の下面に高透磁率シートを貼付した構成とすることもできる。
【００６８】
本発明にあっては、上述した実施例に限定されるものではなく、上述の実施例以外の構成についても本発明の趣旨の範囲内で適宜変更して実施可能である。
【符号の説明】
【００６９】
１，７１，８１，９１  ＲＦＩＤタグ
２  ＲＦＩＤインレット
３，７３，８３，９３  タグ担持体
４  固結留め具（固結機構）
１２  ＩＣチップ
１３  アンテナ
２１ａ，２１ｂ  連係部
２３，８９  固結孔（固結機構）
２４  挿通孔
３３  係止突部
４１  リストバンド
４４  調整孔
４６ａ，４６ｂ  係合孔
５１  バンド留め具（固結機構）
７４  凹凸下部
８７，８８  連係部
９５  高透磁率シート
【図１】
2015230502.tif 000003
【図２】
2015230502.tif 000004
【図３】
2015230502.tif 000005
【図４】
2015230502.tif 000006
【図５】
2015230502.tif 000007
【図６】
2015230502.tif 000008
【図７】
2015230502.tif 000009
【図８】
2015230502.tif 000010
【図９】
2015230502.tif 000011
【図１０】
2015230502.tif 000012
【図１１】
2015230502.tif 000013
【図１２】
2015230502.tif 000014
【図１３】
2015230502.tif 000015